(57)【要約】【課題】鉛腐食防止剤を含有するエンジンオイルの提供【解決手段】一定の１，２，４−トリアゾール金属脱活剤を含む配合されたエンジンオイルは、ベアリングのような鉛のエンジン部品に対してとりわけ非攻撃的である。一定の１，２，４−トリアゾール化合物の包含は、硫黄含有の添加剤及び植物油由来の摩擦改善剤のような腐食性添加剤の併用を許容すると同時に、ＡＳＴＭ  Ｄ４４８５規格に合致させる。【特許請求の範囲】
【請求項１】
鉛に対して非攻撃的であるエンジンオイル組成物であって、前記組成物は、
ａ）ベース流体
ｂ）式（Ｉ）
【化１】
2005534782.tif 000006
で表される少なくとも１種の化合物、及び
ｃ）鉛に対して攻撃的であり、及び抗酸化剤、耐磨耗剤、分散剤、界面活性剤、消泡剤、粘度指数向上剤、銅不動態化剤、防錆剤、流動点降下剤、乳化破壊剤及び摩擦改善剤からなる群より選択された少なくとも１種のオイル添加剤
を含み、
式中、Ｒ1及びＲ2は同じであるか又は異なり、及び炭素原子数１ないし２０のアルキル基、炭素原子数３ないし２０のアルケニル基、炭素原子数５ないし１２のシクロアルキル基、炭素原子数７ないし１３のアラルキル基又は炭素原子数６ないし１０のアリール基を表すか、又はＲ1及びＲ2は各々の結合する窒素原子と一緒に５−、６−又は７−員環ヘテロ環残基を形成してもよく、又はＲ1及びＲ2は式
Ｒ3Ｘ［（−Ｒ4−）Ｏ］n（−Ｒ4）−
（式中、
ＸはＯ、Ｓ又はＮを表し、
Ｒ3は水素原子又は炭素原子数１ないし２０のアルキル基を表し、
Ｒ4は炭素原子数１ないし１２のアルキレン基を表し、
ｎは０であるか又は１ないし６の整数である。）
で表される基を表すか、
又はＲ1及びＲ2の一方は式
【化２】
2005534782.tif 000007
で表される基を表し、
又はＲ2が式（ＩＩ）で表される基を表し、そしてＲ1が式
−［Ｒ4］n−Ｎ（Ｒ5）−Ａ−［Ｎ（Ｒ5）2］m
（式中、
ｍは０又は１であり、及びｍが０である場合にはＡは式（ＩＩ）で表される基を表し、及びｍが１である場合にはＡはアルキレン基又は炭素原子数６ないし１０のアリーレン基を表し、そしてＲ5は式（ＩＩ）で表される基を表す。）で表される基を表し、
成分（ｂ）を含まない場合は、前記エンジンオイル組成物はＡＳＴＭ  Ｄ  ６５９４試験にしたがって測定して鉛がおよそ１００ｐｐｍを超えている
ところの組成物。
【請求項２】
前記式（Ｉ）で表される化合物は、１−（又は４）−（ジメチルアミノメチル）トリアゾール、１−（又は４）−（ジエチルアミノメチル）トリアゾール、１−（又は４）−（ジ−イソプロピルアミノメチル）トリアゾール、１−（又は４）−（ジ−ｎ−ブチルアミノメチル）トリアゾール、１−（又は４）−（ジ−ｎ−ヘキシルアミノメチル）トリアゾール、１−（又は４）−（ジ−イソオクチルアミノメチル）トリアゾール、１−（又は４）−（ジ−（２−エチルヘキシル）アミノメチル）トリアゾール、１−（又は４）−（ジ−ｎ−オクチルアミノメチル）トリアゾール、１−（又は４）−（ジ−ｎ−デシルアミノメチル）トリアゾール、１−（又は４）−（ジ−ｎ−ドデシルアミノメチル）トリアゾール、１−（又は４）−（ジ−ｎ−オクタデシルアミノメチル）トリアゾール、１−（又は４）−（ジ−ｎ−エイコシルアミノメチル）トリアゾール、１−（又は４）−［ジ−（プロペ−２’−エニル）アミノメチル］トリアゾール、１−（又は４）−［ジ−（ブテ−２’−エニル）アミノメチル］トリアゾール、１−（又は４）−［ジ−（エイコセ−２’−エニル）アミノメチル］トリアゾール、１−（又は４）−（ジ−シクロヘキシルアミノメチル）トリアゾール、１−（又は４）−（ジ−ベンジルアミノメチル）トリアゾール、１−（又は４）−（ジ−フェニルアミノメチル）トリアゾール、１−（又は４）−（４’−モルホリノメチル）トリアゾール、１−（又は４）−（１’−ピロリジノメチル）トリアゾール、１−（又は４）−（１’−ピペリジノメチル）トリアゾール、１−（又は４）−（１’−パーヒドロアゼピノメチル）トリアゾール、１−（又は４）−［（２’，２”−ジヒドロキシエチル）アミノメチル］トリアゾール、１−（又は４）−（ジブトキシプロピル−アミノメチル）トリアゾール、１−（又は４）−（ジブチルチオプロピル−アミノメチル）トリアゾール、１−（又は４）−（ジ−ブチルアミノプロピル−アミノメチル）トリアゾール、Ｎ，Ｎ−ビス−（１−又は４−トリアゾリルメチル）ラウリルアミン、Ｎ，Ｎ−ビス−（１−又は４−トリアゾリルメチル）オレイルアミン、Ｎ，Ｎ−ビス−（１−又は４−トリアゾリルメチル）エタノールアミン及びＮ，Ｎ，Ｎ’，Ｎ’−テトラ（１−又は４−トリアゾリルメチル）エチレンジアミンからなる群より選択される請求項１記載の組成物。
【請求項３】
前記式（Ｉ）で表される化合物は、１−（ジ−イソオクチルアミノメチル）−１，２，４−トリアゾール又は１−（ジ−（２−エチルヘキシル）アミノメチル）−１，２，４−トリアゾールである請求項１記載の組成物。前記成分（ｂ）は、エンジンオイルの重量に基づきおよそ０．０１ないしおよそ１．０重量％存在する請求項１記載の組成物。
【請求項４】
前記成分（ｂ）は、エンジンオイルの重量に基づきおよそ０．０２ないしおよそ０．５重量％存在する請求項１記載の組成物。
【請求項５】
前記成分（ｂ）は、エンジンオイルの重量に基づきおよそ０．０３ないしおよそ０．３重量％存在する請求項１記載の組成物。
【請求項６】
前記成分（ｃ）の添加剤は、抗酸化剤、耐磨耗剤、界面活性剤、銅不動態化剤及び摩擦改善剤からなる群より選択される請求項１記載の組成物。
【請求項７】
前記成分（ｃ）の添加剤は、硫黄含有の抗酸化剤、硫黄含有の耐磨耗剤、硫黄含有の銅不動態化剤及び植物油由来の摩擦改善剤からなる群より選択される請求項１記載の組成物。
【請求項８】
前記成分（ｃ）の添加剤は、フェノチアジン抗酸化剤及び植物油由来の摩擦改善剤からなる群より選択される請求項１記載の組成物。
【請求項９】
（ａ）ベース流体及び（ｃ）鉛に対して攻撃的であり、及び抗酸化剤、耐磨耗剤、分散剤、界面活性剤、消泡剤、粘度指数向上剤、銅不動態化剤、防錆剤、流動点降下剤、乳化破壊剤及び摩擦改善剤からなる群より選択される少なくとも１種のオイル添加剤を含むエンジンオイル組成物の存在下にある鉛部品の腐食を防止する方法であって、該方法は、（ｂ）請求項１に記載の少なくとも１種の式（Ｉ）で表される化合物を前記エンジンオイル組成物に配合することからなり、ここで該エンジンオイル組成物は、成分（ｂ）を含まない場合は、ＡＳＴＭ  Ｄ  ６５９４試験にしたがって測定して鉛がおよそ１００ｐｐｍを超えている方法。
【発明の詳細な説明】
【技術分野】
【０００１】
本発明は、鉛に対して非攻撃的であるエンジンオイル（エンジン流体）組成物に関する。
【背景技術】
【０００２】
特許文献１は、機能液に対する金属奪活剤を開示している。
特許文献２は、潤滑剤中の鉛ペイントの析出の防止に有益な組成物を開示している。
【０００３】
エンジンオイルの規格は、性能要件としてより厳しくなっており、そして新規の配合物がこれら新しい規格に合致するように開発下にある。エンジンオイルの規格はＡＳＴＭ  Ｄ  ４４８５に定義されている。
【０００４】
開発下にある新規エンジンオイル配合物は、一定の添加剤化学物質からなる。これら添加剤化学物質の多くは鉛に対して腐食性である。一定の有利な添加剤を使用することにより現在のエンジンオイルの規格に合致させながら、鉛の腐食に対する規格にもまた合致させることは配合者にとって困難である。
【０００５】
１９９４年以後、すべてのディーゼルオイルは、ＡＳＴＭ  Ｄ  ４４８５に定義され、及びＡＳＴＭ  Ｄ  ５９６８（１２５℃にて実施）又はＡＳＴＭ  Ｄ  ６５９４（１３５℃にて実施）のどちらか一方にしたがって測定される鉛の腐食の規格に合致することが要求されている。エンジンオイルの性能に対するＡＳＴＭ  Ｄ  ４４８５  標準規格（ＡＳＴＭ  Ｄ  ４４８５  Ｓｔａｎｄａｒｄ  Ｓｐｅｃｉｆｉｃａｔｉｏｎ  ｆｏｒ  Ｐｅｒｆｏｒｍａｎｃｅ  ｏｆ  Ｅｎｇｉｎｅ  Ｏｉｌｓ）は、ＡＳＴＭ  Ｄ  ５９６８によるＡＰＩカテゴリーＣＦ−４及びＣＧ−４のために６０ｐｐｍの、及びＡＳＴＭ  Ｄ  ６５９４によるカテゴリーＣＨ−４のために１２０ｐｐｍの最大許容鉛腐食水準を示している。
【特許文献１】米国特許第４，７３４，２０９号明細書
【特許文献２】米国特許第４，４９１，５２７号明細書
【発明の開示】
【発明が解決しようとする課題】
【０００６】
例えば、鉛の腐食を引き起こす配合されたエンジンオイルの一定の成分は、一定の界面活性剤、耐磨耗剤、摩擦改善剤及び抗酸化剤を含む。多くのそのような望ましい添加剤化学物質は、エンジンオイル配合物を鉛の腐食に対する工業規格に合致させないため、使用に失格である。
【０００７】
例えば、鉛に対して攻撃的であり、及びそうでなければエンジンオイル中の使用に失格である望ましい添加剤化学物質は、硫黄含有の添加剤及び一定の植物油由来の摩擦改善剤を含む。
【課題を解決するための手段】
【０００８】
一定の１，２，４−トリアゾール金属奪活剤が、鉛、例えばベアリングのような鉛のエンジン部品に対してとりわけ非攻撃的であることが驚くべきことに分った。本発明に記載されたエンジンオイルはＡＳＴＭ  Ｄ  ４４８５に定義されるディーゼル潤滑剤規格の腐食防止性能要件に合致している。
この鉛の腐食の問題は一般的に、他の型の潤滑剤、例えばタービン油及び圧媒油においては問題ではない。
【０００９】
本発明のエンジンオイルはディーゼル油及び万能油である。万能油は、ディーゼル油及び乗用車油の両方を含む。エンジンオイルは内燃機関において、例えば、オットー、ディーゼル、２ストローク、ワンケル又は軌道型のエンジンが取り付けられた自動車において例えば使用される。
【発明を実施するための最良の形態】
【００１０】
具体的には、本発明は、鉛に対して非攻撃的であるエンジンオイル組成物であって、前記組成物は、
ａ）ベース流体
ｂ）式（Ｉ）
【化１】
2005534782.tif 000002
で表される少なくとも１種の化合物、及び
ｃ）鉛に対して攻撃的であり、及び抗酸化剤、耐磨耗剤、分散剤、界面活性剤、消泡剤、粘度指数向上剤、銅不動態化剤、防錆剤、流動点降下剤、乳化破壊剤及び摩擦改善剤からなる群より選択された少なくとも１種のオイル添加剤を含み、
式中、Ｒ1及びＲ2は同じであるか又は異なり、及び炭素原子数１ないし２０のアルキル基、炭素原子数３ないし２０のアルケニル基、炭素原子数５ないし１２のシクロアルキル基、炭素原子数７ないし１３のアラルキル基又は炭素原子数６ないし１０のアリール基を表すか、又はＲ1及びＲ2は各々の結合する窒素原子と一緒に５−、６−又は７−員環ヘテロ環残基を表し、又はＲ1及びＲ2は式
Ｒ3Ｘ［（−Ｒ4−）Ｏ］n（−Ｒ4）−
（式中、
ＸはＯ、Ｓ又はＮを表し、
Ｒ3は水素原子又は炭素原子数１ないし２０のアルキル基を表し、
Ｒ4は炭素原子数１ないし１２のアルキレン基を表し、
ｎは０であるか又は１ないし６の整数である。）
で表される基を表すか、
又はＲ1及びＲ2の一方は式
【化２】
2005534782.tif 000003
で表される基を表し、
又はＲ2が式（ＩＩ）で表される基を表し、そしてＲ1が式
−［Ｒ4］n−Ｎ（Ｒ5）−Ａ−［Ｎ（Ｒ5）2］m
（式中、
ｍは０又は１であり、及びｍが０である場合にはＡは式（ＩＩ）で表される基を表し、及びｍが１である場合にはＡはアルキレン基又は炭素原子数６ないし１０のアリーレン基を表し、そしてＲ5は式（ＩＩ）で表される基を表す。）で表される基を表し、
成分（ｂ）を含まない場合は、前記エンジンオイル組成物はＡＳＴＭ  Ｄ  ６５９４試験にしたがって測定して鉛がおよそ１００ｐｐｍを超えている
ところの組成物に関する。
【００１１】
Ｒ4は例えば、炭素原子数１ないし６のアルキレン基、例えば炭素原子数２又は３のアルキレン基である。
数ｎは例えば、０、１、２、３、４、５又は６である。
アルキル基は、直鎖状又は枝分れ鎖状であり、及び例えば、メチル基、エチル基、ｎ−プロイル基、イソプロピル基、ｎ−ブチル基、第二ブチル基、ｎ−ペンチル基、ｎ−ヘキシル基、ｎ−ヘプチル基、ｎ−オクチル基、２−エチルヘキシル基、ｎ−ノニル基、ｎ−デシル基、ｎ−ドデシル基、ｎ−テトラデシル基、ｎ−ヘキサデシル基、ｎ−オクタデシル基又はｎ−エイコシル基である。
アルケニル基は、直鎖状又は枝分れ鎖状であり、及び例えばプロペ−２−エニル基、ブテ−２−エニル基、２−メチル−プロペ−２−エニル基、ペンテ−２−エニル基、ヘキサ−２，４−ジエニル基、デセ−１０−エニル基又はエイコセ−２−エニル基である。
シクロアルキル基は例えば、シクロペンチル基、シクロヘキシル基、シクロオクチル基、シクロデシル基、アダマンチル基又はシクロドデシル基である。
アラルキル基は例えば、ベンジル基、２−フェニルエチル基、ベンズヒドリル基又はナフチルメチル基である。
アリール基は例えば、フェニル基又はナフチル基である。
Ｒ1及びＲ2は、それらが結合する窒素原子と一緒にヘテロ環基を形成し、該ヘテロ環基は例えば、モルホリン環基、ピロリジン環基、ピペリジン環基又はパーヒドロアゼピン環基である。
アルキレン基は例えば、メチレン基、エチレン基、１：２−又は１：３−プロピレン基、１：４−ブチレン基、１：６−ヘキシレン基、１：８−オクチレン基、１：１０−デシレン基及び１：１２−ドデシレン基を含む。
アリーレン基は例えば、フェニレン基及びナフチレン基を含む。
【００１２】
本式（Ｉ）で表される具体的な化合物は：１−（又は４）−（ジメチルアミノメチル）トリアゾール、１−（又は４）−（ジエチルアミノメチル）トリアゾール、１−（又は４）−（ジ−イソプロピルアミノメチル）トリアゾール、１−（又は４）−（ジ−ｎ−ブチルアミノメチル）トリアゾール、１−（又は４）−（ジ−ｎ−ヘキシルアミノメチル）トリアゾール、１−（又は４）−（ジ−イソオクチルアミノメチル）トリアゾール、１−（又は４）−（ジ−（２−エチルヘキシル）アミノメチル）トリアゾール、１−（又は４）−（ジ−ｎ−オクチルアミノメチル）トリアゾール、１−（又は４）−（ジ−ｎ−デシルアミノメチル）トリアゾール、１−（又は４）−（ジ−ｎ−ドデシルアミノメチル）トリアゾール、１−（又は４）−（ジ−ｎ−オクタデシルアミノメチル）トリアゾール、１−（又は４）−（ジ−ｎ−エイコシルアミノメチル）トリアゾール、１−（又は４）−［ジ−（プロペ−２’−エニル）アミノメチル］トリアゾール、１−（又は４）−［ジ−（ブテ−２’−エニル）アミノメチル］トリアゾール、１−（又は４）−［ジ−（エイコセ−２’−エニル）アミノメチル］トリアゾール、１−（又は４）−（ジ−シクロヘキシルアミノメチル）トリアゾール、１−（又は４）−（ジ−ベンジルアミノメチル）トリアゾール、１−（又は４）−（ジ−フェニルアミノメチル）トリアゾール、１−（又は４）−（４’−モルホリノメチル）トリアゾール、１−（又は４）−（１’−ピロリジノメチル）トリアゾール、１−（又は４）−（１’−ピペリジノメチル）トリアゾール、１−（又は４）−（１’−パーヒドロアゼピノメチル）トリアゾール、１−（又は４）−［（２’，２”−ジヒドロキシエチル）アミノメチル］トリアゾール、１−（又は４）−（ジブトキ
シプロピル−アミノメチル）トリアゾール、１−（又は４）−（ジブチルチオプロピル−アミノメチル）トリアゾール、１−（又は４）−（ジ−ブチルアミノプロピル−アミノメチル）トリアゾール、Ｎ，Ｎ−ビス−（１−又は４−トリアゾリルメチル）ラウリルアミン、Ｎ，Ｎ−ビス−（１−又は４−トリアゾリルメチル）オレイルアミン、Ｎ，Ｎ−ビス−（１−又は４−トリアゾリルメチル）エタノールアミン及びＮ，Ｎ，Ｎ’，Ｎ’−テトラ（１−又は４−トリアゾリルメチル）エチレンジアミンを含む。
式（Ｉ）で表される代表的な化合物は例えば、１−（ジ−イソオクチルアミノメチル）トリアゾールであり、すなわち１−（ジ−イソオクチルアミノメチル）−１，２，４−トリアゾールであり、又は１−（ジ−（２−エチルヘキシル）アミノメチル）１，２，４−トリアゾールである。
【００１３】
式（Ｉ）で表される本化合物は、既知の方法により、例えば開示事項が参照文献としてここに組み込まれている米国特許第４，７３４，２０９号明細書に開示されるように調製される。
【００１４】
本発明に関するベース流体は、鉱油をベースとした流体（ＡＰＩ  グループＩ、ＩＩ及びＩＩＩ）、ポリ−α−オレフィン−ＰＡＯ類（ＡＰＩ  グループ  ＩＶ）、エステル（ＡＰＩ  グループ  Ｖ）、他の合成流体、起源が動物又は植物である天然油、及びそれらの混合物を利用する。ベース流体はエンジンオイル用途における利用のために適切な粘度のものである。
【００１５】
式（Ｉ）で表される本化合物は、配合されたエンジンオイルの重量に基づき、およそ０．０１ないしおよそ１．０重量％の濃度で使用される。例えば、式（Ｉ）の化合物はおよそ０．０２ないしおよそ０．５重量％；例えば、およそ０．０３ないしおよそ０．３重量％；例えばおよそ０．０１ないしおよそ０．５又はおよそ０．０１ないしおよそ０．３重量％；例えばおよそ０．０２ないしおよそ１．０又はおよそ０．０２ないしおよそ０．３重量％；例えば、およそ０．０３ないしおよそ１．０又はおよそ０．０３ないしおよそ０．５重量％である。
【００１６】
成分（ｃ）の適切な抗酸化剤は：
１）アルキル化モノフェノール、例えば、２，６−ジ−第三ブチル−４−メチルフェノール、２−ブチル−４，６−ジ−メチルフェノール、２，６−ジ−第三ブチル−４−エチルフェノール、２，６−ジ−第三ブチル−４−ｎ−ブチルフェノール、２，６−ジ−第三ブチル−４−イソ−ブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリ−シクロ−ヘキシルフェノール、２，６−ジ−第三ブチル−４−メトキシメチルフェノール、線状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物
２）アルキルチオメチルフェノール、例えば、２，４−ジ−オクチルチオメチル−６−第三ブチルフェノール、２，４−ジ−オクチルチオメチル−６−メチルフェノール、２，４−ジ−オクチルチオメチル−６−エチルフェノール又は２，６−ジ−ドデシルチオメチル−４−ノニルフェノール
３）ヒドロキノン及びアルキル化ヒドロキノン、例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロ
キシフェニルステアレート又はビス（３，５−ジ−第三ブチル−４−ヒドロキシフェニル）アジペート
４）トコフェロール、例えば、α−、β−、γ−又はδ−トコフェロール又はそれらの混合物（ビタミンＥ）
５）ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）又は４，４’−ビス（２，６−ジ−メチル−４−ヒドロキシフェニル）ジスルフィド
６）アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス（４−メチル−６−（α−メチルシクロヘキシル）−フェノール）、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス（６−（α−メチルベンジル）−４−ノニルフェノール）、２，２’−メチレン−ビス（６−（α，α−ジメチルベンジル）−４−ノニルフェノール）、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス（３，３−ビス（３’−第三ブチル−４’−ヒドロキシフェニル）ブチレート）、ビス（３−第三ブチル−４−ヒドロキシ−５−メチルフェニル）ジシクロ−ペンタジエン、ビス（２−（３’−第三ブチル−２’−ヒドロキシ−５’−メチルベンジル）−６−第三ブチル−４−メチルフェニル）テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン又は１，１，５，５−テトラ（５−第三ブチル−４−ヒドロキシ−２−メチルフェニル）ペンタン
７）Ｏ−、Ｎ−及びＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド又はイソオクチル−３，５−ジ−第三ブチル−４−ヒドロキシベンジルメルカプトアセテート
８）ヒドロキシベンジル化マロネート、例えば、ジオクタデシル２，２−ビス（３，５−ジ−第三ブチル−２−ヒドロキシベンジル）マロネート、ジ−オクタデシル２−（３−第三ブチル−４−ヒドロキシ−５−メチルベンジル）−マロネート、ジ−ドデシルメルカプトエチル−２，２−ビス（３，５−ジ−第三ブチル−４−ヒドロキシベンジル）−マロネート又はジ（４−（１，１，３，３−テトラメチルブチル）フェニル）−２，２−ビス（３，５−ジ−第三ブチル−４−ヒドロキシベンジル）マロネート
９）芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチ
ルベンゼン又は２，４，６−トリス（３，５−ジ−第三ブチル−４−ヒドロキシベンジル）フェノール
１０）トリアジン化合物、例えば、２，４−ビスオクチルメルカプト−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）−イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン又は１，３，５−トリス（３，５−ジシクロヘキシル−４−ヒドロキシベンジル）イソシアヌレート
１１）ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル５−第三ブチル−４−ヒドロキシ−３−メチルベンジルホスホネート又は３，５−ジ−第三ブチル−４−ヒドロキシベンジルホスホン酸のモノエチルエステルのカルシウム塩
１２）アシルアミノフェノール、例えば、４−ヒドロキシラウラニリド、４−ヒドロキシステアラニリド又はオクチルＮ−（３，５−ジ−第三ブチル−４−ヒドロキシフェニル）カルバメート
１３）β−（３，５−ジ−第三ブチル−４−ヒドロキシフェニル）プロピオン酸、β−（５−第三ブチル−４−ヒドロキシ−３−メチルフェニル）プロピオン酸、β−（３，５−ジシクロヘキシル−４−ヒドロキシフェニル）−プロピオン酸、３，５−ジ−第三ブチル−４−ヒドロキシフェニル酢酸又はβ−（５−第三ブチル−４−ヒドロキシフェニル）−３−チアブチル酸と、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサルサミド、３−チアウンデカノール、３−チアペンタデカノール、トリメチルヘキサンジオール、トリメチロールプロパン、４−ヒドロキシメチル−１−ホスファ−２，６，７−トリオキサビシクロ（２．２．２）オクタン、グリセロール又は例えばヤシ油、菜種油（ｒａｐｅ  ｓｅｅｄ  ｏｉｌ）、ヒマワリ油又は菜種油（ｃｏｌｚａ  ｏｉｌ）の天然トリグリセリドに基づいたエステル交換反応生成物とのエステル
１４）β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン又はＮ，Ｎ’−ビス（３，５−ジ−第三ブチル−４−ヒドロキシフェニルプロピオニル）ヒドラジン
１５）アスコルビン酸（ビタミンＣ）
１６）アミン型抗酸化剤、例えば、Ｎ，Ｎ’−ジイソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチル−ペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（ナフチ−２−イル）−ｐ−フ
ェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）Ｎ’−フェニル−ｐ−フェニレンジアミン、Ｎ−シクロヘキシル−Ｎ’−フェニル−ｐ−フェニレンジアミン、４−（ｐ−トルエンスルホンアミド）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニル−アミン、４−ｎ−ブチルアミノフェノール、４−ブチリルアミノフェノール、４−ノナノイルアミノフェノール、４−ドデカノイルアミノフェノール、４−オクタデカノイルアミノフェノール、ジ−（４−メトキシフェニル）−アミン、２，６−ジ−第三ブチル−４−ジメチルアミノ−メチル−フェノール、２，４’−ジアミノジフェニルメタン、４，４’−ジアミノ−ジフェニルメタン、Ｎ，Ｎ，Ｎ’，Ｎ’−テトラメチル−４，４’−ジアミノ−ジフェニルメタン、１，２−ジ（（２−メチルフェニル）アミノ）エタン、１，２−ジ−（フェニルアミノ）プロパン、（ｏ−トリル）ビグアニド、ジ（４−（１’，３’−ジメチルブチル）−フェニル）アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジニ−４−イル）ヘキサメチレンジアミン、ビス（２，２，６，６−テトラメチル−ピペリジニ−４−イル）セバケート、２，２，６，６−テトラメチルピペリジノ−４−オン又は２，２，６，６−テトラメチルピペリジノ−４−オール、及び
１７）脂肪族又は芳香族ホスフィット、チオジプロピオン酸の又はチオ二酢酸のエステル、又はジチオカルバミン酸又はジチオリン酸の塩、２，２，１２，１２−テトラメチル−５，９−ジヒドロキシ−３，７，１−トリチアトリデカン又は２，２，１５，１５−テトラメチル−５，１２−ジヒドロキシ−３，７，１０，１４−テトラチアヘキサデカン
より選択される。
【００１７】
成分（ｃ）の適切な耐磨耗剤は：
１）金属がアルミニウム、鉛、スズ、マンガン、コバルト、ニッケル、亜鉛又は銅であるが、最も頻繁には亜鉛であるジヒドロカルビルジチオホスフェート金属塩。亜鉛塩（ジアルキルジチオホスフェート亜鉛）は、
【化３】
2005534782.tif 000004
（式中、Ｒ及びＲ’は独立して炭素原子数１ないし２０のアルキル基、炭素原子数３ないし２０のアルケニル基、炭素原子数５ないし１２のシクロアルキル基、炭素原子数７ないし１３のアラルキル基又は炭素原子数６ないし１０のアリール基を表し、例えばＲ及びＲ’は独立して炭素原子数１ないし１２のアルキル基を表す。）
として表され、
及び
２）硫化オレフィン及び植物油、トリトリルホスフェート、トリクレシルホスフェート、塩素化パラフィン、アルキル及びアリールジ−及びトリスルフィド、モノ−及びジアルキルホスフェートのアミン塩、メチルホスホン酸のアミン塩、ジエタノールアミノメチルトリルトリアゾール、ジ（２−エチル−ヘキシル）−アミノメチルトリルトリアゾール、２，５−ジメルカプト−１，３，４−チアジアゾールの誘導体、エチル（（ビスイソプロピルオキシホスフィノチオイル）チオ）プロピオネート、トリフェニルチオホスフェート（トリフェニルホスホロチオエート）、トリス（アルキルフェニル）ホスホロチオエート及びそれらの混合物（例えばトリス（イソノニルフェニル）ホスホロチオエート）、ジフェニルモノノニルフェニルホスホロチオエート、イソブチルフェニルジフェニルホスホロチオエート、３−ヒドロキシ−１，３−チアホスフェタン３−オキシドのドデシルアミン塩、トリチオホスホン酸５，５，５−トリス（イソオクチル２−アセテート）、１−（Ｎ，Ｎ−ビス（２−エチルヘキシル）アミノメチル）−２−メルカプト−１Ｈ−１，３−ベンゾチアゾールのような２−メルカプトベンゾチアゾールの誘導体又はエトキシカルボニル５−オクチルジチオカルバメートのような硫黄原子−及び／又はリン原子−及び／又はハロゲン原子−含有化合物
より選択される。
【００１８】
成分（ｃ）の適切な分散剤は：
１）高分子量フェノール、アルキレンポリアミン及びホルムアルデヒドのようなアルデヒドの縮合反応生成物であるマンニッヒ塩基
２）有機ヒドロキシ化合物及び／又はアミンとさらに反応させた、オレフィンポリマーとコハク酸アシル化剤（酸、無水物、エステル又はハライド）の反応生成物であるコハク酸をベースとした分散剤及び
３）高分子量アミド及びヒドロカルビルアシル化剤と多価脂肪族アルコール（グリセロール、ペンタエリトリトール又はソルビトールのようなもの）の反応生成物のようなエステル
より選択される。
【００１９】
分散される粒子と会合する極性官能基に結合した油溶性の高分子量骨格を大抵含む無灰の（金属を含まない）ポリマー材は、典型的に分散剤として使用される。広く使用される炭化水素骨格材はオレフィンポリマー及びコポリマー、すなわち、−エチレン、プロピレン、ブチレン、イソブチレン、スチレンであり；ポリマーの骨格に組み込まれた他の官能基があってもなくてもよい。アミン、アルコール、アミド又はエステルのような極性材料は、ブリッジを介して骨格に結合される。
【００２０】
成分（ｃ）の適切な分散剤は：有機酸のカルシウム、マグネシウム、バリウム、ナトリウム又はリチウム塩、例えばスルホネート、アルキルフェナート、硫化アルキルフェナート、カルボキシレート、サリチレート、ホスホネート、チオホスホネート及びホスフィネート
より選択される。
塩は中性であってもよいか、又は例えば金属水酸化物又は炭酸塩によりアルカリ性であってもよい。
【００２１】
成分（ｃ）の適切な消泡剤は：シリコンオイル、ポリシロキサン及びポリエチレングリコールエーテルより選択される。
【００２２】
成分（ｃ）の適切な粘度指数向上剤は：ポリイソブチレン、エチレンとプロピレンのコポリマー、ポリアクリレート、ポリメタクリレート、ビニルピロリドン／メタクリレート
コポリマー、ポリビニルピロリドン、ポリブテン、オレフィンコポリマー、スチレン／アクリレートコポリマー、スチレン／イソプレンコポリマー、スチレン／イソブタジエンコポリマー、イソプレン／ブタジエンコポリマー及びポリエーテル
より選択される。
【００２３】
成分（ｃ）の適切な銅不動態化剤は：
１）ベンゾトリアゾール及びそれらの誘導体、例えば４−又は５−アルキルベンゾトリアゾール（例えばトルトリアゾール）及びその誘導体、４，５，６，７−テトラヒドロベンゾトリアゾール、５，５’−メチレンビスベンゾトリアゾール；１−（ジ（２−エチルヘキシル）アミノメチル）トルトリアゾール及び１−（ジ−（２−エチルヘキシル）アミノメチル）−ベンゾトリアゾールのようなベンゾトリアゾール又はトルトリアゾールのマンニッヒ塩基；１−（ノニルオキシメチル）−ベンゾトリアゾール、１−（１−ブトキシエチル）−ベンゾトリアゾール又は１−（１−シクロヘキシルオキシブチル）−トルトリアゾールのようなアルコキシアルキルベンゾトリアゾール
２）イミダゾール誘導体、例えば４，４’−メチレンビス（２−ウンデシル−５−メチル−イミダゾール）、ビス（（Ｎ−メチル）イミダゾリ−２−イル）カルビノールオクチルエーテル
３）硫黄含有のヘテロ環式化合物、例えば２−メルカプトベンゾチアアゾール、２，５−ジメルカプト−１，３，４−チアジアゾール、２，５−ジメルカプトベンゾチアジアゾール及びそれらの誘導体又は３，５−ビス（ジ（２−エチルヘキシル）アミノメチル）−１，３，４−チアジアゾリノ−２−オン、及び
４）アミノ化合物、例えばサリチリデンプロピレンジアミン、サリチルアミノグアニジン又はそれらの塩
より選択される。
【００２４】
成分（ｃ）の適切な防錆剤は：
１）ノニオン性ポリオキシアルキレンポリオール及びそれらのエステル、ポリオキシアルキレンフェノール、有機酸、それらのエステル、金属塩、アミン塩及び無水物、例えばアルキル−及びアルケニルコハク酸及びそれらとアルコール、ジオール又はヒドロキシカルボン酸との部分エステル、アルキル−及びアルケニルコハク酸の部分アミド、ドデシルオキシ酢酸、ドデシルオキシ（エトキシ）酢酸及びそれらのアミン塩のような、４−ノニルフェノキシ酢酸、アルコキシ−及びアルコキシエトキシカルボン酸、又はＮ−オレオイルサルコシン、ソルビタンモノオレエート、ナフテン酸鉛及びアルケニルコハク酸無水物、例えばドデセニルコハク酸無水物、２−（２−カルボキシエチル）−１−ドデシル−３−メチルグリセロール及びその塩、例えばナトリウム及びトリエタノールアミン塩
２）ｉ）一級、二級又は三級脂肪族又は脂環式アミン及び有機酸又は無機酸のアミン塩、例えば油溶性アルキルアンモニウムカルボキシレート、及びまた１−（Ｎ，Ｎ−ビス（２−ヒドロキシエチル）アミノ）−３−（４−ノニルフェノキシ）プロパノ−２−オール、又は
ｉｉ）ヘテロ環式化合物、例えば：置換されたイミダゾリン又はオキサゾリン、例えば、２−ヘプタデセニル−１−（２−ヒドロキシエチル）−イミダゾリン
より選択された窒素原子を含有した化合物
３）リン含有の化合物、例えばリン酸、リン酸部分エステル又はホスホン酸部分エステルのアミン塩又はジアルキルジチオリン酸亜鉛
４）硫黄含有の化合物、例えばジノニルナフタレン−スルホン酸バリウム、ペトロリウムスルホン酸カルシウム、アルキルチオ−置換された脂肪族カルボン酸、脂肪族２−スルホカルボン酸のエステル又はそれらの塩、及び
５）グリセロール誘導体、例えばグリセロールモノオレート、１−（アルキルフェノキシ）−３−（２−ヒドロキシエチル）グリセロール、１−（アルキルフェノキシ）−３−（２，３−ジヒドロキシプロピル）グリセロール又は２−カルボキシアルキル−１，３−
ジアルキルグリセロール
より選択される。
【００２５】
成分（ｃ）の適切な流動点降下剤は、ポリメタクリレート及びアルキル化ナフタレン誘導体より選択される。
【００２６】
成分（ｃ）の適切な乳化破壊剤は、ポリエーテルポリオール及びジノニルナフタレンスルホネートより選択される。
【００２７】
成分（ｃ）の適切な摩擦改善剤は、脂肪酸及びそれらの誘導体、例えば、グリセロールモノオレエートのような脂肪酸の天然エステル、アミド、イミド及びアミン、例えばオレイルアミン、硫黄含有の有機モリブデンジチオカルバメート、硫黄−リン含有の有機モリブデンジチオホスフェート、分散剤に基づいた硫黄−窒素含有の有機モリブデン化合物、モリブデンカルボキシレート塩、モリブデン−アミン錯体、モリブデンアミン／アルコール／アミド錯体及びモリブデンクラスター化合物、テフロン（登録商標）及びモリブデンジスルフィド
より選択される。
【００２８】
鉛に対して攻撃的な添加剤は、硫黄含有の抗酸化剤、硫黄含有の耐磨耗剤、硫黄含有の銅不動態化剤又は植物油由来の摩擦改善剤のような抗酸化剤、耐磨耗剤、界面活性剤、銅不動態化剤又は摩擦改善剤である。例えば、鉛に対して攻撃的な硫黄含有の抗酸化剤は、フェノチアジン抗酸化剤である。
【００２９】
成分（ｃ）の添加剤は、エンジンオイル組成物に基づき、およそ０．０１ないしおよそ１０．０重量％の範囲において、各々の場合において慣用的な量で添加される。
【００３０】
式（Ｉ）で表される化合物は、本質的に既知の手法でエンジンオイルに導入され得る。前記化合物はオイル中に易溶性である。要求される比率にて濃縮物を使用するために、対応する流体を用いて希釈され得るいわゆる添加剤マスターバッチ（パッケージ）を調製することがまた可能である。式（Ｉ）で表される化合物は、添加剤パッケージの一部として導入されてもよい。
【００３１】
本式（Ｉ）で表される化合物を含まない場合、成分（ａ）及び（ｃ）からなるエンジンオイルは、ＡＳＴＭ  Ｄ６５９４により測定される、ＡＳＴＭ  Ｄ４４８５に定義される鉛の腐食の規格に合致しないか又は該規格に近くなるだけである。すなわち、本式（Ｉ）で表される化合物を含まない場合、成分（ａ）及び（ｃ）からなるエンジンオイルは、ＡＳＴＭ  Ｄ６５９４により測定して、およそ１００ｐｐｍ、およそ１２０ｐｐｍ、およそ１５０ｐｐｍ、およそ１８０ｐｐｍ、又はおよそ２１０ｐｐｍを超える。
【００３２】
本発明はまた、（ａ）ベース流体及び（ｃ）鉛に対して攻撃的であり、及び抗酸化剤、耐磨耗剤、分散剤、界面活性剤、消泡剤、粘度指数向上剤、銅不動態化剤、防錆剤、流動点降下剤、乳化破壊剤及び摩擦改善剤からなる群より選択される少なくとも１種のオイル添加剤を含むエンジンオイル組成物の存在下にある鉛部品の腐食を防止する方法であって、該方法は、（ｂ）少なくとも１種の式（Ｉ）で表される化合物を前記エンジンオイル組成物に配合することからなり、ここで、成分（ｂ）を含まない場合においては、該エンジンオイル組成物は、ＡＳＴＭ  Ｄ  ６５９４試験にしたがって測定して鉛がおよそ１００ｐｐｍを超える方法にも関する。
【００３３】
以下の実施例は、本発明をより詳細に説明する。それらはいかなる形においても本発明を限定するものと解されるべきではない。
【実施例】
【００３４】
実施例  １３５℃におけるディーゼルエンジンオイルの腐食性のＡＳＴＭ  Ｄ６５９４評価
本試験においては、銅、鉛、スズ及びリン青銅の４つの金属試験片を、測定された量のエンジンオイル中に浸漬した。オイルを１３５℃にて空気を用いて１６８時間ブローした。試験が完了したとき、腐食及び腐食生成物を検出するために、ストレスを与えられたオイルを試験した。使用されたオイル中の銅、鉛及びスズの存在はＩＣＰにより測定した。該ストレスを与えられたオイル中に、鉛が５０ｐｐｍ未満の結果であることが望ましい。
本実施例のベース配合物として、完全に配合した非腐食性のエンジンオイルを使用した。本発明の効果を示すために、摩擦改善剤／腐食防止剤であるグリセロールモノオレエート（ＧＭＯ）１．０重量％及び硫黄原子を含有した耐磨耗剤／極圧添加剤であるジターノニルトリスルフィド（ＴＰＳ（登録商標）２７）０．５重量％を別々にベース配合物に添加した。これらは、ＡＳＴＭ  Ｄ６５９４につき、式（Ｉ）で表される化合物：１−（ジ−（２−エチルヘキシル）アミノメチル）１，２，４−トリアゾール（イルガメット（登録商標）３０、チバ  スペシャルティ  ケミカルズ社）０．２重量％を含む及び含まないの両方を試験した。試験中に発生した鉛の腐食に対する結果を以下の表：
【表１】
2005534782.tif 000005
に示す。
ＧＭＯ及びＴＰＳ２７の両方とも、ベース配合物の腐食を増加させ、ベース配合物を使用に不適なものとさせた。各々の場合において、イルガメット３０は、腐食を非常に許容し得る水準にまで有意に低減させた。
【国際調査報告】
2005534782.tif 000008
2005534782.tif 000009
2005534782.tif 000010
2005534782.tif 000011
2005534782.tif 000012